(57)【要約】【課題】収納ケース内の貯蔵物の乾燥を抑えることができる冷蔵庫を提供する。【解決手段】前面に開口部を有する貯蔵室５と、貯蔵物を収納するとともに前後にスライド自在に支持される収納ケース１０と、前記収納ケース１０の上面を前後にスライドして開閉する小物ケース１１と、前記収納ケース１０と前記小物ケース１１とを連結して前記収納ケース１０に対して後方にスライド移動された前記小物ケース１１を自閉させるとともに、前記収納ケース１０に対して前記小物ケース１１が所定量を超えてスライドされた際に前記収納ケース１０と前記小物ケース１１の自閉を解除する自閉装置２０と、を備えた。【選択図】図３
2013032877.tif 000002
【特許請求の範囲】
【請求項１】
前面に開口部を有する貯蔵室と、
貯蔵物を収納するとともに前後にスライド自在に支持される収納ケースと、
前記収納ケースの上面を前後にスライドして開閉する小物ケースと、
前記収納ケースと前記小物ケースとを連結して前記収納ケースに対して後方にスライド移動された前記小物ケースを自閉させるとともに、前記収納ケースに対して前記小物ケースが所定量を超えてスライドされた際に前記収納ケースと前記小物ケースの自閉を解除する自閉装置と、
を備えたことを特徴とする冷蔵庫。
【請求項２】
前記自閉装置が前記収納ケースの側壁に配されて前後移動可能に設けられるとともに前記小物ケースに係合する係合部材と、前記係合部材を前方に付勢する付勢部と、を備え、
前記小物ケースにより前記収納ケースの上面が閉じた状態で前記小物ケースと前記係合部材とが係合し、前記小物ケースを前記所定量を超えてスライドさせた際に、前記係合部材が姿勢を変えて前記小物ケースとの係合が解除されることを特徴とする請求項１に記載の冷蔵庫。
【請求項３】
前記自閉装置は前記付勢部の付勢を緩衝する緩衝部を設け、
前記緩衝部は一端に開口部を有するシリンダと、前記シリンダ内面に摺動するガスケットと、前記ガスケットに連結されるとともに前記係合部材に取り付けられて前記小物ケースと前記係合部材との係合によって前記小物ケースと一体に進退するピストンと、前記ピストンを遊嵌する挿通孔を有して前記開口部を塞ぐキャップと、を有し、
前記挿通孔と前記ピストンの間から外気が前記シリンダ内に取り込まれることを特徴とする請求項２に記載の冷蔵庫。
【請求項４】
前記小物ケースの自閉を解除した状態で前記小物ケースと一体で扉を閉じた際に前記小物ケースと前記収納ケースとを連結して前記小物ケースが自閉されることを特徴とする請求項１〜３のいずれかに記載の冷蔵庫。
【請求項５】
前記小物ケースの前端部と該前端部に対向する前記収納ケースの対向面との少なくとも一方に可撓性のパッキンを備えたことを特徴とする請求項１〜４のいずれかに記載の冷蔵庫。
【発明の詳細な説明】
【技術分野】
【０００１】
本発明は、冷蔵庫に関する。
【背景技術】
【０００２】
従来の冷蔵庫は扉により前面が開閉される複数の貯蔵室を備えている。貯蔵室の種類としては冷蔵保存する冷蔵室、冷凍保存する冷凍室、冷蔵室よりも高い温度で冷蔵保存する野菜室を備えている。そして、野菜室には前後にスライドして扉と一体的に出し入れされる収納ケースが設けられ、この収納ケース内に貯蔵物として野菜などを収納する。
【０００３】
特許文献１に記載された冷蔵庫は上段より冷凍庫、冷蔵庫、野菜室が順に配置され、引き出し式の収納ケースが野菜室の内部に設けられている。収納ケースの内部には収納ケースの後方上部に配された小物ケースが備えられている。小物ケースは収納ケースの前後方向の長さよりも短く、小物ケースを後方へスライドさせて収納ケース内の上面を開いた状態から貯蔵物を取得する構成としている。
【先行技術文献】
【特許文献】
【０００４】
【特許文献１】特開平１１−９４４５６号公報（第２頁−第３頁、第２図）
【発明の概要】
【発明が解決しようとする課題】
【０００５】
近年、野菜の乾燥を防止するために収納ケース内の隙間を可能な限り閉塞させることが望まれる。しかし特許文献１では小物ケースを後方へスライド移動して前端に隙間を有した状態で扉が閉じられる状態がある。これにより、該隙間を介して収納ケース内に冷気が進入して野菜が乾燥する問題があった。
【０００６】
本発明は、収納ケース内の貯蔵物の乾燥を抑えることができる冷蔵庫を提供することを目的とする。
【課題を解決するための手段】
【０００７】
上記目的を達成するために本発明は、前面に開口部を有する貯蔵室と、貯蔵物を収納するとともに前後にスライド自在に支持される収納ケースと、前記収納ケースの上面を前後にスライドして開閉する小物ケースと、前記収納ケースと前記小物ケースとを連結して前記収納ケースに対して後方にスライド移動された前記小物ケースを自閉させるとともに、前記収納ケースに対して前記小物ケースが所定量を超えてスライドされた際に前記収納ケースと前記小物ケースの自閉を解除する自閉装置と、を備えたことを特徴とする。
【０００８】
この構成によると、貯蔵物を収納した収納ケースは前後にスライドに移動し、小物ケースは収納ケースの上面を前後にスライドして開閉する。自閉装置は収納ケースと小物ケースとを連結し、収納ケースに対して後方にスライド移動された小物ケースを前方へ移動させて自閉させる。また、冷蔵庫のユーザが収納ケース内の貯蔵物を取得する際などに、小物ケースを後方へ所定量を超えてスライドさせることにより自閉が解除される。
【０００９】
また本発明は、前記自閉装置が前記収納ケースの側壁に配されて前後移動可能に設けられるとともに前記小物ケースに係合する係合部材と、前記係合部材を前方に付勢する付勢部と、を備え、前記小物ケースにより前記収納ケースの上面が閉じた状態で前記小物ケースと前記係合部材とが係合し、前記小物ケースを前記所定量を超えてスライドさせた際に、前記係合部材が姿勢を変えて前記小物ケースとの係合が解除されることを特徴とする。
【００１０】
この構成によると、小物ケースにより収納ケースの上面が閉じた状態では小物ケースと係合部材とが係合して自閉状態を維持する。一方、小物ケースが所定量を超えてスライドした際に、係合部材が姿勢を変えて小物ケースとの係合が解除されて自閉が解除される。
【００１１】
また本発明は、前記自閉装置は前記付勢部の付勢を緩衝する緩衝部を設け、前記緩衝部は一端に開口部を有するシリンダと、前記シリンダ内面に摺動するガスケットと、前記ガスケットに連結されるとともに前記係合部材に取り付けられて前記小物ケースと前記係合部材との係合によって前記小物ケースと一体に進退するピストンと、前記ピストンを遊嵌する挿通孔を有して前記開口部を塞ぐキャップと、を有し、前記挿通孔と前記ピストンの間から外気が前記シリンダ内に取り込まれることを特徴とする。
【００１２】
この構成によると、係合部材が小物ケースに係合するとエアダンパのピストンが前進し、ガスケットによってシリンダ内の空気が圧縮されて収納ケースの移動速度が減衰される。シリンダ内には挿通孔とピストンの間から外気が流出入し、貯蔵室の温度が低温になってもピストンの停止時に周囲と同じ空気圧に維持される。
【００１３】
また本発明は、前記小物ケースの自閉を解除した状態で前記小物ケースと一体で扉を閉じた際に前記小物ケースと前記収納ケースとを連結して前記小物ケースが自閉されることを特徴とする。また本発明は、上記構成の冷蔵庫において、前記小物ケースの前端部と該前端部に対向する前記収納ケースの対向面の少なくとも一方に可撓性のパッキンを備えたことを特徴とする。
【発明の効果】
【００１４】
本発明によると、収納ケース内の貯蔵物の乾燥を抑えることができる冷蔵庫を提供することができる。
【図面の簡単な説明】
【００１５】
【図１】本発明の実施形態の冷蔵庫を示す側面断面図
【図２】本発明の実施形態の収納ケースと小物ケースと自閉装置とを示す側面断面図
【図３】本発明の実施形態の小物ケースと自閉装置とを示す側面断面図
【図４】本発明の実施形態の冷蔵庫の自閉装置のエアダンパを示す側面断面図
【図５】本発明の実施形態の収納ケースと小物ケースと自閉装置とを示す側面断面図
【図６】本発明の実施形態の小物ケースと自閉装置とを示す側面断面図
【図７】本発明の実施形態の収納ケースと小物ケースと自閉装置とを示す側面断面図
【図８】本発明の実施形態の小物ケースと自閉装置とを示す側面断面図
【図９】本発明の実施形態の収納ケースと小物ケースと自閉装置とを示す側面断面図
【図１０】本発明の実施形態の収納ケースと小物ケースの上面図
【発明を実施するための形態】
【００１６】
以下に本発明の実施形態を図面を参照して説明する。図１は本実施形態の冷蔵庫を示す側面断面図である。冷蔵庫１は本体部を形成する断熱箱体２を備え、断熱箱体２には上方から順に冷蔵室３、冷凍室４、野菜室５が設けられる。冷蔵室３と冷凍室４とは断熱壁６によって仕切られ、冷凍室４と野菜室５とは断熱壁７によって仕切られる。
【００１７】
冷蔵室３は貯蔵物を冷蔵保存し、前面の開口部３ａは回動式の扉３ｂにより開閉される。冷凍室４は貯蔵物を冷凍保存し、前面の開口部４ａは冷蔵収納ケース８と一体に形成された引き出し式の扉４ｂにより開閉される。冷凍室４の側壁及び冷蔵収納ケース８の側壁の外面には前後に延びて互いに摺動する案内部（不図示）が設けられる。案内部によって冷蔵収納ケース８が扉４ｂとともに前後に円滑に出し入れされる。
【００１８】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。野菜室５の側壁及び収納ケース１０の側壁の外側には前後に延びて互いに摺動する案内部（不図示）が設けられる。案内部によって収納ケース１０が扉５ｂとともに前後に円滑に出し入れされる。
【００１９】
図２は野菜室５の収納ケース１０の閉成状態を示す側面断面図である。収納ケース１０は上面を開口した樹脂成型品から成り、断熱材を充填した扉５ｂ（図１参照）の背面に取り付けられる。収納ケース１０の上面には果物等の小物の貯蔵物を収納する小物ケース１１が載置される。小物ケース１１は樹脂形成品から成り、収納ケース１０に対して前後にスライド自在に配される。これにより、収納ケースの上面が開閉される。
【００２０】
収納ケース１０の上方の側壁には自閉装置２０が設けられる。自閉装置２０は小物ケース１１の前面の前端部１１ａに係合するキャッチ２１（係合部材）を備える。前端部１１ａとキャッチ２１が係合することで収納ケース１０と小物ケース１１とは連結される。
【００２１】
図３は自閉装置２０及び小物ケース１１の前端部１１ａの側面図を示している。自閉装置２０は収納ケース１０の側壁に取り付けられるアングル２６を有している。アングル２６には前後に水平に延びて後部が下方に屈曲したカム溝２４が形成される。
【００２２】
キャッチ２１にはカム溝２４に嵌合するガイドピン２２、２３が取り付けられる。これにより、キャッチ２１はカム溝２４に沿って前後に移動するとともに、カム溝２４の後端が下方に向かって姿勢を変えて配置される。
【００２３】
キャッチ２１の上面には前端部１１ａに係合する係合溝２１ａが設けられる。係合溝２１ａの前壁は上方に突出する前方突出部２１ｂにより形成される。係合溝２１ａの後壁は上方に突出する後方突出部２１ｃにより形成される。
【００２４】
キャッチ２１にはキャッチ２１を前方へ付勢する引張りバネ２５（付勢部）が取り付けられる。また、引張りバネ２５の移動速度を緩衝するエアダンパ３０（緩衝部）が設けられている。アングル２６にはエアダンパ３０が取り付けられる。エアダンパ３０のピストン３２の後端がボール継手２７を介してキャッチ２１に連結される。これにより、キャッチ２１はピストン３２に対して回動自在になり、容易に姿勢を変えることができる。
【００２５】
図４はエアダンパ３０の要部の側面断面図を示している。エアダンパ３０は後端に開口部３１ａを有する有底筒状のシリンダ３１を有している。開口部３１ａはキャップ３３を嵌合して塞がれる。キャップ３３にはピストン３２を挿通する挿通孔３３ａが設けられる。挿通孔３３ａに挿通されるピストン３２の前端には小径に形成されたネジ部３２ａが設けられ、ネジ部３２ａがガスケット３４の孔部３４ａに挿通される。ガスケット３４はネジ部３２ａに螺合されるナット３５とネジ部３２ａの座面とによって挟まれて固定される。
【００２６】
ガスケット３４はシリコンゴムから成り、前方を開口して周面が傾斜したカップ状に形成される。ガスケット３４の周面はシリンダ３１の内面と摺動する。ピストン３２が後方に移動する際にはシリンダ３１内の後部の空気がガスケット３４の傾斜した周面に沿い、ガスケット３４とシリンダ３１との間を前方へ移動する。一方、ピストン３２が前方に移動する際にはシリンダ３１の前部の空気がカップ状のガスケット３４内に進入し、ガスケット３４の周面の傾斜角度が大きくなり、負荷が大きくなる。また、シリンダ３１内には挿通孔３３ａとピストン３２の間から外気が流出入し、貯蔵室の温度が低温になってもピストン３２の停止時に周囲と同じ空気圧に維持される。
【００２７】
図５〜図９は野菜室５の収納ケース１０の開成状態を示す側面断面図である。上記構成の冷蔵庫１において、野菜室５の扉５ｂを開くと収納ケース１０が一体に引き出される。この時、図２、図３に示すように、キャッチ２１に係合する小物ケース１１が引っ張りバネ２５の付勢によって前端に配される。
【００２８】
小物ケース１１を引っ張りバネ２５の付勢力に抗して収納ケース１０に対して後方にスライドさせると、収納ケース１０の上面が開かれる。この時、図５、図６に示すように小物ケース１１がキャッチ２１に係合した状態でユーザが手を離すと、引っ張りバネ２５の付勢によって小物ケース１１が自閉する。
【００２９】
ここで、キャッチ２１とともにピストン３２が前方へ移動すると、エアダンパ３０を構成するシリンダ３１とガスケット３４との摺動摩擦が大きくなるため負荷が大きくなる。これにより、小物ケース１１の移動速度が減衰され、収納ケース１０に加わる衝撃が緩和される。
【００３０】
更に、ユーザが小物ケース１１を所定の距離だけ後退させると図７及び図８に示すようにカム溝２４の後端でキャッチ２１が姿勢を変えて前端部１１ａとの係合が解除される。この時、後方のガイドピン２３がカム溝２４の後部に係合してキャッチ２１の位置が保持される。そして、自閉装置２０による収納ケース１０と小物ケース１１との自閉が解除される。
【００３１】
図９に示すように自閉装置２０による収納ケース１０と小物ケース１１との自閉が解除されると小物ケース１１は後方へスライド自在となる。このためユーザは小物ケース１１のみを後方へスライドさせて収納ケース１０内の貯蔵物を取得することができる。
【００３２】
また、ユーザによって扉５ｂを閉じて収納ケース１０と一体に後退させると、小物ケース１１が背壁に当接し、前端部１１ａが前方突出部２１ｂに当接してキャッチ２１が姿勢を変える。これにより、前端部１１ａとキャッチ２１との係合を簡単に復帰させることがで、自閉装置２０によって小物ケース１１を前端に配して扉５ｂを閉じることができる。
【００３３】
図１０は野菜室５の収納ケース１０を示す上面図である。収納ケース１０の前部の右側には仕切板１０ｃで区画された容器収納部１０ｂが設けられ、小物ケース１１は容器収納部１０ｂを避けて設けられる。容器収納部１０ｂには例えば、容量が２Ｌのペットボトル等の背の高い貯蔵物が収納される。小物ケース１１により収納ケース１０の上面を閉じた状態では小物ケース１１の前端部１１ａは収納ケース１０の前端部１０ａ及び仕切板１０ｃに近接して対向する。そして、収納ケース１０の前端部１０ａに可撓性のパッキン４０を備えている。また、パッキン４０は小物ケース１１の前端部１１ａにもうけてもよい。
【００３４】
また、収納ケース１０と小物ケースとの係合位置は側面や底面であってもよい。また、収納ケース１０に自閉装置２０を設けたが、小物ケース１１に自閉装置２０を設けた構成でもよい。
【００３５】
本実施形態によると、自閉装置２０が収納ケース１０と小物ケース１１とを連結して収納ケース１０に対して後方にスライド移動された小物ケース１１を自閉させるとともに、収納ケース１０に対して小物ケース１１が所定量を超えてスライドされた際に収納ケース１０と小物ケース１１の自閉を解除する。これにより収納ケース内１０の水分が抜けて乾燥を抑えることができる冷蔵庫を提供することができる。
【００３６】
また、前後に移動可能なキャッチ２１（係合部材）が小物ケース１１に係合して引っ張りバネ２５（付勢部）によって前方に付勢され、小物ケース１１を所定量を超えてスライドさせたときにキャッチ２１が姿勢を変えて小物ケース１１との係合を解除される。これにより、小物ケース１１を自閉させる状態と小物ケース１１の自閉を解除させる状態とを有する自閉装置２０を容易に実現することができる。
【００３７】
また、シリンダ３１の内面を摺動するガスケット３４に連結されたピストン３２がキャッチ２１に取付けられてキャッチ２１に係合した小物ケース１１と一体に進退する。これにより、引っ張りバネ２５の付勢力を緩衝して小物ケース１１の自閉時に収納ケース１０に加わる衝撃を緩和するエアダンパ３０（緩衝部）を容易に実現することができる。
【００３８】
また、小物ケース１１の自閉を解除した状態で扉５ａを閉じると、小物ケース１１が収納ケース１０に連結して自閉されるので、冷蔵庫１の利便性を向上することができる。
【００３９】
また、収納ケース１０の前端部１０ａに可撓性のパッキン４０を備えているため、小物ケース１１と収納ケース１０との密封性をより一層確保することができる。パッキン４０は軟質部と硬質部から形成され、軟質部はシリコンゴム、ニトリルゴム、エチレンプロピレンゴム、クロロプレインゴムのいずれか一つまたは複数の併用によって形成することができる。また、硬質部はポリプロピレン製から形成することができる。
【００４０】
また、小物ケース１１に凹又は凸形状を備え、収納ケース１０はこれに対向して凸又は凹形状の形状を備えて小物ケース１１を係合して固定する場合に比べ、本発明では自閉装置２０を用いて小物ケース１１と収納ケース１０の前端で隙間を閉塞される。このため、収納ケース１０と小物ケース１１の前端では確実に密閉することができる。
【産業上の利用可能性】
【００４１】
本発明によると、スライド移動する収納ケースを備えた冷蔵庫に利用することができる。
【符号の説明】
【００４２】
１    冷蔵庫
３    冷蔵室
４    冷凍室
５    野菜室
１０  収納ケース
１１  小物ケース
１１ａ  前端部
２０    自閉装置
２１    キャッチ（係合部材）
２１ａ  係合溝
２１ｂ  前方突出部
２１ｃ  後方突出部
２１ｄ  傾斜面
２２、２３  ガイドピン
２４    カム溝
２５    引張りバネ（付勢部）
２６    アングル
３０    エアダンパ（緩衝部）
３１    シリンダ
３２    ピストン
３２ａ  ネジ部
３３    キャップ
３３ａ  挿通孔
３４    ガスケット
３５    ナット
４０    パッキン
【図１】
2013032877.tif 000003
【図２】
2013032877.tif 000004
【図３】
2013032877.tif 000005
【図４】
2013032877.tif 000006
【図５】
2013032877.tif 000007
【図６】
2013032877.tif 000008
【図７】
2013032877.tif 000009
【図８】
2013032877.tif 000010
【図９】
2013032877.tif 000011
【図１０】
2013032877.tif 000012